(57)【要約】【課題】射出成形に伴って生じるウェルド１３ａ、１３ａが、応力が集中し易い、両リム部７ａ、７ｂと各柱部８、８との連続部に存在しない様にして、優れた耐久性を有する合成樹脂製の保持器６を、特にコストを高くする事なく実現する。【解決手段】大径のリム部７ｂに対応する円環状空間部分への溶融合成樹脂の送り込み量を、小径のリム部７ａに対応する円環状空間部分への溶融合成樹脂の送り込み量よりも多くする。そして、各ゲートからキャビティ内に、互いに異なる方向から送り込まれた未固化の合成樹脂がこのキャビティ内で会合する事により生じるウェルド１３ａ、１３ａの総てを、前記両リム部７ａ、７ｂと前記各柱部８，８との連続部から外れた部分に位置させる。【選択図】図２
2011085231.tif 000002
【特許請求の範囲】
【請求項１】
１乃至複数のゲートから金型のキャビティ内に送り込んだ溶融合成樹脂を、このキャビティ内で固化させる射出成形により造られて、互いに同心に、且つ、軸方向に間隔をあけて配置された、それぞれが円環状である１対のリム部と、これら両リム部同士の間に掛け渡された複数本の柱部とを備え、これら両リム部と円周方向に隣り合う１対ずつの柱部とにより四周を囲まれる部分を、それぞれ転動体を保持する為のポケットとした合成樹脂製保持器に於いて、前記ゲートから前記キャビティ内に、互いに異なる方向から送り込まれた未固化の合成樹脂がこのキャビティ内で会合する事により生じるウェルドの総てが、前記両リム部と前記各柱部との連続部から外れた部分に存在する事を特徴とする合成樹脂製保持器。
【請求項２】
金型のキャビティ内に送り込んだ溶融合成樹脂をこのキャビティ内で固化させて、互いに同心に、且つ、軸方向に間隔をあけて配置された、それぞれが円環状である１対のリム部と、これら両リム部同士の間に掛け渡された複数本の柱部とを備え、これら両リム部と円周方向に隣り合う１対ずつの柱部とにより四周を囲まれる部分を、それぞれ転動体を保持する為のポケットとした合成樹脂製保持器を造る、合成樹脂製保持器の製造方法であって、前記キャビティ内に溶融合成樹脂を送り込む為のゲートは、前記両リム部に対応する円環状空間部分の１乃至複数個所の円周方向に関する位相が互いに一致する部分に設けられており、一方のリム部に対応する円環状空間部分への溶融合成樹脂の送り込み量と他方のリム部に対応する円環状空間部分への溶融合成樹脂の送り込み量とを異ならせる事により、前記各ゲートから前記キャビティ内に、互いに異なる方向から送り込まれた未固化の合成樹脂がこのキャビティ内で会合する事により生じるウェルドの総てを、前記両リム部と前記各柱部との連続部から外れた部分に位置させる事を特徴とする合成樹脂製保持器の製造方法。
【請求項３】
合成樹脂製保持器が、一方のリム部の直径が他方のリム部の直径よりも大きく、各柱部が軸方向に対し傾斜している、円すいころ軸受用合成樹脂製保持器であり、キャビティのうちで前記一方のリム部に対応する円環状空間部分に送り込む溶融合成樹脂の量を、前記他方のリム部に対応する円環状空間部分に送り込む溶融合成樹脂の量よりも多くする、請求項２に記載した合成樹脂製保持器の製造方法。
【請求項４】
金型のキャビティ内に送り込んだ溶融合成樹脂をこのキャビティ内で固化させて、互いに同心に、且つ、軸方向に間隔をあけて配置された、それぞれが円環状であって、一方のリム部の直径が他方のリム部の直径よりも大きい１対のリム部と、これら両リム部同士の間に掛け渡された、軸方向に対し傾斜した複数本の柱部とを備え、これら両リム部と円周方向に隣り合う１対ずつの柱部とにより四周を囲まれる部分を、それぞれ転動体を保持する為のポケットとした合成樹脂製保持器を造る為の、合成樹脂製保持器の製造装置であって、前記キャビティ内に溶融合成樹脂を送り込む為のゲートは、このキャビティのうちで、前記両リム部に対応する円環状空間部分の１乃至複数個所の円周方向に関する位相が互いに一致する部分に設けられており、一方のリム部に対応する円環状空間部分に溶融合成樹脂を送り込む為のランナ部に対応する部分の断面積を、他方のリム部に対応する円環状空間部分に溶融合成樹脂を送り込む為のランナ部に対応する部分の断面積よりも大きくした事を特徴とする合成樹脂製保持器の製造装置。
【請求項５】
金型のキャビティ内に送り込んだ溶融合成樹脂をこのキャビティ内で固化させて、互いに同心に、且つ、軸方向に間隔をあけて配置された、それぞれが円環状である１対のリム部と、これら両リム部同士の間に掛け渡された複数本の柱部とを備え、これら両リム部と円周方向に隣り合う１対ずつの柱部とにより四周を囲まれる部分を、それぞれ転動体を保持する為のポケットとした合成樹脂製保持器を造る、合成樹脂製保持器の製造方法であって、前記キャビティ内に溶融合成樹脂を送り込む為のゲートは、前記両リム部に対応する円環状空間部分のうちの少なくとも何れか一方のリム部に対応する円環状空間部分の一部に設けられており、前記キャビティの一部で前記両リム部に対応する円環状空間部分同士の間に、前記各柱部に対応する直線状空間部分とは別に、これら両リム部に対応する円環状空間部分同士の間で前記溶融合成樹脂を流通させる為のバイパス流路を設ける事により、前記ゲートから前記キャビティのうちで前記各柱部に対応する直線状空間部分に、互いに異なる方向から送り込まれた未固化の合成樹脂がこのキャビティ内で会合する事により生じるウェルドの総てを、前記両リム部と前記各柱部との連続部から外れた部分に位置させる事を特徴とする合成樹脂製保持器の製造方法。
【請求項６】
金型のキャビティ内に送り込んだ溶融合成樹脂をこのキャビティ内で固化させて、互いに同心に、且つ、軸方向に間隔をあけて配置された、それぞれが円環状である１対のリム部と、これら両リム部同士の間に掛け渡された複数本の柱部とを備え、これら両リム部と円周方向に隣り合う１対ずつの柱部とにより四周を囲まれる部分を、それぞれ転動体を保持する為のポケットとした合成樹脂製保持器を造る為の、合成樹脂製保持器の製造装置であって、前記キャビティ内に溶融合成樹脂を送り込む為のゲートは、このキャビティのうちで、前記両リム部に対応する１対の円環状空間部分のうちの少なくとも何れか一方のリム部に対応する円環状空間部分に設けられており、前記キャビティの一部で前記両リム部に対応する円環状空間部分同士の間に、前記各柱部とは別にこれら両リム部に対応する円環状空間部分同士の間で前記溶融合成樹脂を流通させる為のバイパス流路を設けた事を特徴とする合成樹脂製保持器の製造装置。
【発明の詳細な説明】
【技術分野】
【０００１】
この発明は、自動車用変速機（トランスミッション）の回転支持部、自動車用差動装置（デファレンシャルギヤ）の回転支持部、車輪支持用転がり軸受（ハブ軸受ユニット）を構成する複数個の転動体を保持する為の合成樹脂製保持器の改良に関する。具体的には、射出成形に伴って生じるウェルドが、応力が集中し易い部分に存在しない様にして、優れた耐久性を有する合成樹脂製保持器の実現を図るものである。
【背景技術】
【０００２】
例えば、自動車の懸架装置に対して車輪を回転自在に支持する為の車輪支持用転がり軸受は、図９に示す様に構成している。即ち、懸架装置に支持された状態で回転しない外輪１の内周面に設けた複列の外輪軌道２、２と、車輪を支持固定した状態でこの車輪と共に回転するハブ３の外周面に設けた複列の内輪軌道４、４との間に、それぞれが転動体である円すいころ５、５を、両列毎に複数個ずつ、それぞれ保持器６、６により保持した状態で、転動自在に設けている。これら両保持器６、６は、籠型保持器と呼ばれるもので、合成樹脂を射出成形する事により一体形成しており、例えば図１０に示す様な形状としている。即ち、保持器６は、１対のリム部７ａ、７ｂと複数本の柱部８、８とを備える。このうちの両リム部７ａ、７ｂは、それぞれが円環状で、互いに同心に、且つ、軸方向に間隔をあけて配置されている。又、前記各柱部８、８は、前記両リム部７ａ、７ｂ同士の間に掛け渡されている。そして、これら両リム部７ａ、７ｂと、円周方向に隣り合う１対ずつの柱部８、８とにより四周を囲まれる部分を、それぞれ前記各円すいころ５、５を保持する為のポケット９、９としている。
【０００３】
この様な合成樹脂製の保持器６は、溶融合成樹脂（加熱溶融させた熱可塑性樹脂）を金型のキャビティ内に、１乃至複数個所のゲート（送り込み口）を通じて送り込んだ（圧力を加えて注入した）後、このキャビティ内で冷却固化させる、射出成形により造る。成形装置を構成する前記金型内のキャビティは、前記両リム部７ａ、７ｂを形成すべき円環状空間の円周方向複数個所に、前記各柱部８、８を形成すべき直線状空間の両端部を連続させた構造となっている。そして、前記キャビティ内に溶融合成樹脂を送り込む為のゲートは、前記両リム部７ａ、７ｂを形成すべき円環状空間のうちの一方又は双方の空間の１乃至複数個所に設けている。
【０００４】
この様な成形装置で前記保持器６を造る際、前記ゲートから前記キャビティ内に送り込まれた溶融合成樹脂は、前記両円環状空間及び前記各直線状空間をそれぞれの長さ方向に流れて、これら各空間に充満し、これら各空間内で冷却固化される。この場合に、これら各空間内に送り込まれる前記溶融合成樹脂は、必ずしもこれら各空間の一端から他端に向けて、当該空間内で一方向にのみ流れる訳ではない。例えば、前記両円環状空間に何れもゲートを設けた場合、前記各直線状空間には、それぞれの両端から溶融樹脂が流れ込み、これら各直線状空間の中間部で突き当たって（会合して）、当該部分に、ウェルドと呼ばれる、曲げ等の外力に対する強度及び剛性が低い部分が形成される。この様なウェルドが、総ての柱部８、８に関して長さ方向中間部に存在すれば、これら各柱部８、８を備えた前記保持器６に関して、一般的に必要とされる程度の強度を確保できる。
【０００５】
これに対して、上述の様なウェルドが、前記両リム部７ａ、７ｂと前記各柱部８、８との連続部に存在すると、前記保持器６の強度が不足する可能性がある。即ち、この保持器６を組み込んだ転がり軸受の運転時に、円すいころ５、５（図９参照）等の転動体が前記各柱部８、８の円周方向側面に衝突すると、この衝突に基づく荷重が、前記連続部に曲げモーメントとして加わる。この為、この連続部にウェルドが存在すると、この連続部に亀裂等の損傷が発生し易くなって、前記保持器６の耐久性が損なわれる。
【０００６】
前記連続部にウェルドが存在する様になる状況の１例に就いて、図２の（Ｂ）に示した参考例に基づいて説明する。尚、この図２の（Ｂ）に示した参考例は、射出成形後、ゲートに対応する部分から連続する（このゲートと溶融合成樹脂の供給源とを結ぶ供給路の内側部分で形成される）ランナ１１を除去する以前の、合成樹脂製の保持器６を示している。前記供給路の内面形状に対応して形成される前記ランナ１１のうち、１対のリム部７ａ、７ｂの外周面から径方向に連続する下流端部分１２ａ、１２ｂの外径Ｄａ、Ｄｂは、これら両リム部７ａ、７ｂ同士の間で、互いに等しい（Ｄa ＝Ｄb ）。即ち、図２の（Ｂ）の形状を射出成形する場合、金型内のキャビティのうち、前記両リム部７ａ、７ｂに対応する部分の円周方向１個所の同位相部分に、同量の合成樹脂を送り込む。
【０００７】
この様に、比較的小径のリム部７ａを形成する為の円環状空間と、比較的大径のリム部７ｂを形成する為の円環状空間とに、同量の溶融合成樹脂を送り込むと、各柱部８、８を形成する為の直線状空間内に前記両円環状空間から流入する溶融合成樹脂の会合位置が、下流側ほど、大径のリム部７ｂを形成すべき円環状空間側に寄る。即ち、前記両リム部７ａ、７ｂのうちで円周方向の位相が一致する部分から同量ずつ送り込まれた溶融合成樹脂は、前記ゲートに対応する部分から前記両リム部７ａ、７ｂに対応する部分に、円周方向に関して両側に広がりつつ、前記各柱部８、８に対応する部分に、それぞれの両端部から流入する。そして、これら各柱部８、８に対応する部分の両端部から流入した溶融合成樹脂は、これら各部分の一部で会合し、当該部分がウェルドとなる。このウェルドが、上記各柱部８、８の中間部分に存在すれば、各部の強度が、問題となるほど低下する事はなく、十分な耐久性を有する保持器６を得られる。
【０００８】
但し、前記キャビティのうち、前記両リム部７ａ、７ｂに対応する部分の円周方向長さは互いに異なる為、前記各柱部８、８に対応する部分に溶融合成樹脂が、それぞれの両端部から流入するタイミングは必ずしも同じではない。具体的には、前記ゲートから遠い、前記溶融合成樹脂の流れ方向に関して下流側に向かうほど、前記小径のリム部７ａに対応する側から流入するタイミングに比べて、前記大径のリム部７ｂに対応する側から流入するタイミングが遅れる。そして、これら両リム部７ａ、７ｂの径差や、前記ゲートから送り込む溶融樹脂の量（単位時間当たりの流量）によっては、前記大径のリム部７ｂに対応する大径円環状空間側から前記各柱部８、８に対応する直線状空間部分に流入する以前に、前記小径のリム部７ａに対応する小径円環状空間側からこれら各柱部８、８に対応する部分に流入した溶融合成樹脂が、前記大径円環状空間部分にまで達してしまう。この結果、図２の（Ｂ）に示す様に、得られる保持器６のうちで、前記各柱部８、８と前記大径のリム部７ｂとの連続部（何れかのポケット９の隅角部）や、このリム部７ｂの一部に、ウェルド１３、１３が形成される。この様な保持器６は、前述した通り、これら各ウェルド１３、１３のうちで、前記連続部に存在するウェルド１３、１３部分で亀裂等の損傷を発生し易く、必ずしも十分な耐久性を得られない可能性がある。
【０００９】
合成樹脂製保持器の強度がウェルドにより低下するのを防止する為の技術として従来から、特許文献２〜４に記載された技術が知られている。このうちの特許文献２、４に記載された従来技術は、金型内のキャビティのうちでウェルドが発生する部分に樹脂溜めを設け、両側から流れてきた溶融合成樹脂をこの樹脂溜めに流入させる事で、当該部分の強度低下を防止する。但し、この様な従来技術の場合、本発明の対象となる様な、１対のリム部と複数本の柱部とを備えた冠型保持器で、多くのウェルドが形成される構造に関して、総てのウェルドの位置を所望位置に規制する事は難しい。仮にできたとしても、多くの樹脂溜めを設ける必要があり、金型が複雑になる他、各樹脂溜め部分で冷却固化した合成樹脂を切除する手間が面倒になり、しかも、材料の歩留まりが悪化する。
【００１０】
又、特許文献３には、金型のキャビティのうちで各柱部に対応する直線状空間部分よりも内径側又は外径側に、溶融合成樹脂を軸方向に流す為の円筒状のバイパス流路を全周に亙って設け、このバイパス流路を通じて、一方のリム部に対応する円環状空間部分から他方のリム部に対応する円環状空間部分の溶融合成樹脂を送り込む技術が記載されている。この様な従来技術の場合、不適正部にウェルドが形成される事を防止できるが、射出成形後に除去する部分の容積が嵩み、加工作業が面倒になるだけでなく、材料の歩留まりが極端に悪化する為、製造コストが著しく上昇する。
【発明の概要】
【発明が解決しようとする課題】
【００１１】
本発明は、上述の様な事情に鑑みて、射出成形に伴って生じるウェルドが、応力が集中し易い、両リム部と各柱部との連続部（各ポケットの隅角部）に存在しない様にして、優れた耐久性を有する合成樹脂製保持器を、特にコストを高くする事なく実現すべく発明したものである。
【課題を解決するための手段】
【００１２】
本発明の対象となる合成樹脂製保持器は、１乃至複数のゲートから金型のキャビティ内に送り込んだ溶融合成樹脂を、このキャビティ内で固化させる射出成形により造られる。そして、互いに同心に、且つ、軸方向に間隔をあけて配置された、それぞれが円環状である１対のリム部と、これら両リム部同士の間に掛け渡された複数本の柱部とを備え、これら両リム部と円周方向に隣り合う１対ずつの柱部とにより四周を囲まれる部分を、それぞれ転動体を保持する為のポケットとしている。
【００１３】
特に、本発明の合成樹脂製保持器に於いては、前記ゲートから前記キャビティ内に、互いに異なる方向から送り込まれた未固化の合成樹脂がこのキャビティ内で会合する事により生じるウェルドの総てが、前記両リム部と前記各柱部との連続部から外れた部分に存在する。
【００１４】
又、請求項２に記載した合成樹脂製保持器の製造方法の発明は、上述の様な合成樹脂製保持器を製造すべく、前記キャビティ内に溶融合成樹脂を送り込む為のゲートを、前記両リム部に対応する円環状空間部分の１乃至複数個所の円周方向に関する位相が互いに一致する部分に設ける。又、一方のリム部に対応する円環状空間部分への溶融合成樹脂の送り込み量と他方のリム部に対応する円環状空間部分への溶融合成樹脂の送り込み量とを異ならせる。そして、前記各ゲートから前記キャビティ内に、互いに異なる方向から送り込まれた未固化の合成樹脂がこのキャビティ内で会合する事により生じるウェルドの総てを、前記両リム部と前記各柱部との連続部から外れた部分に位置させる。
【００１５】
この様な請求項２に記載した合成樹脂製保持器の発明を実施する場合、具体的には、請求項３に記載した発明の様に、上記合成樹脂製保持器を、一方のリム部の直径が他方のリム部の直径よりも大きく、各柱部が軸方向に対し傾斜している、円すいころ軸受用合成樹脂製保持器とする。そして、前記キャビティのうちで前記一方のリム部に対応する（このリム部を形成する為の）大径円環状空間部分に送り込む溶融合成樹脂の量を、前記他方のリム部に対応する小径円環状空間部分に送り込む溶融合成樹脂の量よりも多くする。
【００１６】
又、上述の請求項３に記載した合成樹脂製保持器の製造方法の実施に使用する、合成樹脂製保持器の製造装置のうち、請求項４に記載した合成樹脂製保持器の製造装置は、前記キャビティ内に溶融合成樹脂を送り込む為のゲートを、このキャビティのうちで、前記両リム部に対応する円環状空間部分の１乃至複数個所の円周方向に関する位相が互いに一致する部分に設ける。そして、前記一方のリム部に対応する大径円環状空間部分に溶融合成樹脂を送り込む為のゲート及びランナ部に対応する供給路の断面積を、前記他方のリム部に対応する小径円環状空間部分に溶融合成樹脂を送り込む為のゲート及びランナ部に対応する供給路の断面積よりも大きくする。
【００１７】
一方、請求項５に記載した合成樹脂製保持器の製造方法の発明は、前述の様な合成樹脂製保持器を製造すべく、キャビティ内に溶融合成樹脂を送り込む為のゲートを、前記両リム部のうちの少なくとも何れか一方のリム部に対応する円環状部分の一部に設ける。又、前記キャビティの一部で前記両リム部に対応する円環状空間部分同士の間に、前記各柱部に対応する直線状空間部分とは別に、これら両リム部に対応する円環状空間部分同士の間で前記溶融合成樹脂を流通させる為のバイパス流路を設ける。そして、前記ゲートから前記キャビティのうちで前記各柱部に対応する直線状空間部分に、互いに異なる方向から送り込まれた未固化の合成樹脂がこのキャビティ内で会合する事により生じるウェルドの総てを、前記両リム部と前記各柱部との連続部から外れた部分に位置させる。
【００１８】
更に、上述の請求項５に記載した合成樹脂製保持器の製造方法の実施に使用する、合成樹脂製保持器の製造装置のうち、請求項６に記載した合成樹脂製保持器の製造装置は、前記キャビティ内に溶融合成樹脂を送り込む為のゲートを、このキャビティのうちで、前記両リム部のうちの少なくとも何れか一方のリム部に対応する円環状空間部分に設ける。又、前記キャビティの一部で前記両リム部に対応する円環状空間部分同士の間に、前記各柱部とは別にこれら両リム部同士の間で前記溶融合成樹脂を流通させる為のバイパス流路を設ける。
【発明の効果】
【００１９】
上述の様に構成する本発明の合成樹脂製保持器及びその製造方法並びに製造装置によれば、射出成形に伴って生じるウェルドが、応力が集中し易い部分に存在しない様にして、優れた耐久性を有する合成樹脂製保持器を、特にコストを高くする事なく実現できる。
先ず、請求項２〜４に記載した合成樹脂製保持器の製造方法並びに製造装置の場合、金型内のキャビティのうちで、１対のリム部に対応する円環状空間部分から、各柱部に対応する直線状空間部分に、これら各直線状空間部分の両端から、ほぼ同じタイミングで流入させられる。そして、各ウェルドを、前記各柱部の中間部に位置させて、請求項１に記載した様に、総てのウェルドが、前記両リム部と前記各柱部との連続部から外れた部分に存在する合成樹脂製保持器を得られる。
【００２０】
又、請求項５〜６に記載した合成樹脂製保持器の製造方法並びに製造装置の場合も、金型内のキャビティのうちのバイパス流路を通じて、１対のリム部に対応する円環状空間部分のうち、溶融合成樹脂の供給が遅れる傾向となる部分に、他方のリム部から要求合成樹脂を補給できる。この為、これら両リム部の直径が異なったり、或いは断面積が異なる等の理由により、これら両リム部に溶融合成樹脂が行き渡るタイミングがずれても、これら両リム部に対応する１対の円環状空間部分から各柱部に対応する直線状空間部分に、これら各直線状空間部分の両端から、ほぼ同じタイミングで流入させられる。そして、各ウェルドを、前記各柱部の中間部に位置させて、請求項１に記載した様に、総てのウェルドが、前記両リム部と前記各柱部との連続部から外れた部分に存在する合成樹脂製保持器を得られる。
【図面の簡単な説明】
【００２１】
【図１】本発明の実施の形態の第１例を示す、射出成形後、ゲートから連続するランナ部分を除去する以前の合成樹脂製保持器を示す斜視図。
【図２】射出成形後、ゲートから連続する供給路部分で形成されたランナ部分を除去する以前の合成樹脂製保持器に関して、本発明の実施の形態の第１例（Ａ）と参考例（Ｂ）とを、それぞれ図１の矢印イ方向外方から見た正投影図。
【図３】図２の（Ａ）のロ部拡大図。
【図４】本発明の実施の形態の第２例を示す、図１と同様の図。
【図５】同第３例を示す、射出成形後、バイパス流路部分で成形された杆状部分を除去する以前の合成樹脂製保持器を示す斜視図。
【図６】図５のハ部拡大図。
【図７】本発明の実施の形態の第４例を示す、図５と同様の図。
【図８】図７のニ部拡大図。
【図９】本発明の対象となる合成樹脂製保持器を組み込んだ車輪支持用転がり軸受の１例を示す断面図。
【図１０】本発明の対象となる合成樹脂製保持器の１例を示す斜視図。
【発明を実施するための形態】
【００２２】
［実施の形態の第１例］
図１〜３は、請求項１〜４に対応する、本発明の実施の形態の第１例を示している。これら図１〜３は、射出成形直後、成形装置を構成する金型を開いてこの金型から取り出した、ランナ１１ａ、１１が付いたままの（ランナ１１ａ、１１を切除する以前の）保持器６を示している。このうちの保持器６は、形状そのものに関しては、前述の図１０に示した保持器６と同じであり、１対のリム部７ａ、７ｂと複数本の柱部８、８とを備える。このうちの両リム部７ａ、７ｂは、それぞれが円環状で、互いに同心に、且つ、軸方向に間隔をあけて配置されている。又、前記両リム部７ａ、７ｂのうちの一方（図１〜３の上方）のリム部７ｂの直径を、他方（図１〜３の下方）のリム部７ａの直径よりも大きくしている。これら両リム部の断面積に関しては、互いにほぼ同じとしている。更に、前記各柱部８、８は、前記両リム部７ａ、７ｂ同士の間に掛け渡されている。そして、これら両リム部７ａ、７ｂと、円周方向に隣り合う１対ずつの柱部８、８とにより四周を囲まれる部分を、それぞれ円すいころ５、５（図９参照）保持する為のポケット９、９としている。
【００２３】
この様な合成樹脂製の保持器６は、前記成形装置を構成する金型のキャビティ内に前記溶融合成樹脂を、ゲートを通じ、加圧した状態で送り込む事により造る。本例の場合にこのゲートは、前記両リム部７ａ、７ｂを形成する為の、小径側、大径側両円環状空間毎に１箇所ずつ、合計２箇所、円周方向に関する位相を互いに一致させた状態で設けている。この構成に就いては、前述の図２の（Ｂ）に示した、本発明の技術的範囲からは外れる、参考例の場合と同様である。従って、前記保持器６の本体部分（ランナ１１ａ、１１を除く部分）を射出成形する為の金型のキャビティ部分の形状、構造、寸法に関しても、前述した参考例の場合と同様である。
【００２４】
特に、本例の場合には、前記保持器６の射出成形時に、前記キャビティのうちで前記比較的大径である一方のリム部７ｂに対応する大径側円環状空間部分に送り込む溶融合成樹脂の量を、前記比較的小径である他方のリム部７ａに対応する小径側円環状空間部分に送り込む溶融合成樹脂の量よりも多くする。そして、この溶融合成樹脂の会合部に生じるウェルド１３ａ、１３ａの総てを、前記両リム部７ａ、７ｂと前記各柱部８、８との連続部から外れた部分、具体的には、これら各柱部８、８の中間部に存在させている。言い換えれば、前記溶融合成樹脂が、前記キャビティのうちで、前記各柱部８、８を形成する為の直線状空間の中間部で会合する様にしている。
【００２５】
この為に本例の場合には、前記比較的大径である一方のリム部７ｂを形成する為の前記大径側円環状空間部分に通じるゲート並びに当該ゲートの通じる供給路の内径（この供給路の内周面形状に対応して形成される、前記ランナ１１ａの下流端部分１２ｂの外径）Ｄb を、前記比較的小径である前記小径のリム部７ａを形成する為の前記小径側円環状空間部分に通じるゲート並びに当該ゲートの通じる供給路の内径（この供給路の内周面形状に対応して形成される、前記ランナ１１ａの下流端部分１２ａ´の外径）ｄa よりも大きく（Ｄb ＞ｄa ）している。そして、前記両リム部７ａ、７ｂの直径の相違に拘らず、前記両ゲートから、前記小径側、大径側両円環状空間部分に送り込まれた溶融合成樹脂が、これら両円環状空間部分の円周方向に拡がるタイミングに、大きな差が生じない様にしている。言い換えれば、前記両ゲートから前記両円環状空間内に送り込まれた溶融合成樹脂が、これら両円環状空間の直径の相違に拘らず、前記各柱部８、８を形成する為の直線状空間の両端部に、ほぼ同時に達する様にしている。
【００２６】
本例は、この様な構成を採用している為、前記両ゲートから前記キャビティのうちで前記小径側、大径側両円環状空間に、それぞれの円周方向１箇所ずつから送り込まれた未固化の合成樹脂が、これら両円環状空間を、円周方向の位相（角度）に関してほぼ同じタイミングで流れる。そして、前記各柱部８、８を形成する為の直線状空間の両端部から（これら各柱部８、８同士の間では差があっても、これら各柱部８、８毎に）ほぼ同時に流入する。この為、前記キャビティ内で会合する事により生じるウェルド１３ａ、１３ａの総てを、前記両リム部７ａ、７ｂと前記各柱部８、８との連続部から外れた部分に位置させる事ができる。即ち、前記各ウェルド１３ａ、１３ａを、前記各柱部８、８の中間部と、前記両リム部７ａ、７ｂの円周方向中間部のうちで、前記ゲートと径方向反対側部分とに位置させる事ができる。これら両リム部７ａ、７ｂの円周方向中間部のウェルド１３ａ、１３ａの位置に関しても、前記ゲートの位置と前記各柱部８、８の位置とを適切に規制する事により、前記両リム部７ａ、７ｂと前記各柱部８、８との連続部から外れた位置に設けられる。
【００２７】
本例の合成樹脂製保持器及びその製造方法並びに製造装置は、以上に述べた様にして、ウェルド１３ａ、１３ａの総てを、前記両リム部７ａ、７ｂと前記各柱部８、８との連続部から外れた部分に位置させる為、合成樹脂製保持器を組み込んだ円すいころ軸受の運転時に、各円すいころが前記各柱部８、８を円周方向に押して、これら各柱部８、８と前記両リム部７ａ、７ｂとの連続部に大きな曲げ方向の力が加わっても、この連続部に亀裂等の損傷を生じにくく、優れた耐久性を有する合成樹脂製保持器を得られる。尚、図１〜３の例では、１対のゲートを前記両円環状空間部分の外周面側に設けたが、内周面側に設ける事もできる。
【００２８】
尚、前記両リム部７ａ、７ｂの円周方向に関して、前記両ゲートを設ける位置は、前記各柱部８、８及び前記各ポケット９、９の数が偶数の場合には、円周方向に隣り合う柱部８、８同士の中央部（何れかのポケット９の円周方向中央部）の同位相部分とする事が好ましい。これに対して、前記各柱部８、８及び前記各ポケット９、９の数が奇数の場合には、前記両ゲートを、円周方向に関する位相が何れかの柱部８と一致する部分に設ける事が好ましい。又、前記大径側円環状空間部分に通じるゲート並びに当該ゲートの通じる供給路の内径Ｄb と、前記比較的小径である前記小径のリム部７ａを形成する為の前記小径側円環状空間部分に通じるゲート並びに当該ゲートの通じる供給路の内径ｄa との比（Ｄb ／ｄa ）は、計算により求める事ができる。但し、良質の製品をより安定して得る為には、計算により求めた上、実験により修正する事が好ましい。
【００２９】
［実施の形態の第２例］
図４は、請求項１〜４に対応する、本発明の実施の形態の第２例を示している。本例の場合には、小径側のリム部７ａを形成する為の小径側円環状空間と、大径側のリム部７ｂを形成する為の大径側円環状空間との、それぞれの内周面部分の直径方向反対側２箇所位置ずつ、合計４箇所位置に、それぞれゲートを設けている。そして、本例の場合も、前記大径側円環状空間に通じるゲート及び供給路の内径を、前記小径側円環状空間に通じるゲート及び供給路の内径よりも大きく（断面積を広く）している。この様な本例の場合も、前記各ゲート及び供給路の内径の比を適切に規制する事により、各ウェルド１３ａ、１３ａを、前記各リム部７ａ、７ｂと各柱部８、８の両端部との連続部から外れた部分に存在させる事ができる。前記各ゲートの数を増やし、これに合わせてこれら各ゲート及び供給路を保持器６の内径側に設けた点（ランナ１１ｂがこの保持器６の内径側に形成される点）以外の構成は、上述した実施の形態の第１例の場合と同様であるから、重複する説明は省略する。
【００３０】
［実施の形態の第３例］
図５〜６は、請求項１、５、６に対応する、本発明の実施の形態の第３例を示している。本例の場合には、小径のリム部７ａと大径のリム部７ｂとを複数本の柱部８、８により連続させた円すいころ軸受用の保持器６を、合成樹脂の射出成形により造るべく、キャビティ内に溶融合成樹脂を送り込む為のゲート１５を、前記大径側のリム部７ｂに対応する、大径側円環状空間部分の一部で、前記各柱部８、８に対応する直線状空間部分同士の間部分に設けている。又、前記キャビティの一部で、この大径側円環状空間部分と、前記小径側のリム部７ａに対応する円環状小径側空間部分との間にバイパス流路を、前記各柱部８、８に対応する直線状空間部分とは別に設けている。
【００３１】
本例の場合には、前記ゲート１５と前記パイパス流路との位相を一致させている。そして、このバイパス流路により、前記ゲート１５から前記大径側円環状空間部分に送り込んだ前記溶融合成樹脂の一部を、前記小径側円環状空間部分に送り込める様にしている。この様にして小径側円環状部分に送り込まれた前記溶融合成樹脂は、この小径側円環状部分の側から、前記各直線状空間部分に進入する。そして、前記大径側円環状空間部分の側から、これら各直線状空間部分に進入した溶融合成樹脂と、これら各直線状空間部分の中間部で会合する。例えば、前記バイパス流路を設けない場合、ウェルド１３ｂ、１３ｂが図６のＰ位置、即ち、各柱部８、８とリム部７ａとの連続部に形成されるのに対して、このバイパス流路を設ける事で、α方向の溶融合成樹脂の流速を、β方向の溶融合成樹脂の流速よりも速くする事ができ、ウェルド１３ｃ、１３ｃを図６のＱ位置、即ち、前記各柱部８、８の中間部に移せる。この為、前述した実施の形態の第１〜２例の場合と同様に、合成樹脂製の保持器６の耐久性向上を図れる。
【００３２】
尚、合成樹脂の射出成形により保持器６を形成した直後の状態では、前記バイパス流路に対応して、前記両リム部７ａ、７ｂ同士の間に、円杆部１６が形成される。この円杆部１６は、図示しないランナ部分と共に切除されるが、この円杆部１６は小径である為、切除作業は容易であり、材料の歩留まり悪化も僅かに止まる。
又、本例の場合には、前記バイパス流路を設ける事により、このバイパス流路に隣接した直線状空間部分への溶融合成樹脂の流入状況、即ち、両端開口から流入するタイミングを調節できる。又、このタイミングは、前記バイパス流路の断面積により任意に調節できる。従って、このバイパス流路により前記各柱部８、８の中間部にウェルドを位置させる技術は、ゲートの位置が何れの部分であっても利用できる。例えば、前述の図２の（Ｂ）に示した参考例の技術に関して、溶融合成樹脂の流れ方向下流側となる、ゲートと反対寄り部分｛図２の（Ｂ）の左寄り部分｝にパイパス流路を設ける事で、当該部分に関しても、ウェルドを各柱部８、８の中間部分に位置させる事ができる。要は、１乃至複数のゲート１５からの距離、流通抵抗等を考慮した場合に、そのままでは何れかの柱部の端部と何れかのリブ部との連続部にウェルドが形成される場合に、前記バイパス流路を設けて、当該ウェルドの位置をこの連続部からずらせる事ができる。
【００３３】
［実施の形態の第４例］
図７〜８は、請求項１、５、６に対応する、本発明の実施の形態の第４例を示している。本例の場合には、１対のバイパス流路を、ポケット９を１個あけた位置に設けている。この様な本例の場合も、これら両バイパス流路を設ける事により、ウェルド１３ｃ、１３ｃを、各柱部８、８とリム部７ａとの連続部であるＰ位置から、これら各柱部８、８の中間部であるＱ位置に移せる。この為、上述した実施の形態の第３例の場合と同様に、コスト上昇を抑えつつ、合成樹脂製の保持器６の耐久性向上を図れる。
【産業上の利用可能性】
【００３４】
以上の説明は、本発明を、１対のリム部の直径が互いに異なる、円すいころ軸受用保持器に適用した場合に就いて行った。但し、本発明は、円筒ころ軸受用保持器や自動調心ころ軸受用保持器で実施する事もできる。円筒ころ軸受用保持器の場合には、１対のリム部の直径が互いに等しいので、これら両リム部の断面形状及び断面積が同じであれば、前述した様な問題を生じる事はない。但し、これら両リム部の断面形状と断面積との少なくとも一方が異なる場合、直径が異なる場合と同様に、これら両リム部毎に設けたゲートから、キャビティのうちで上記両リム部に対応する円環状空間部分に送り込まれた溶融合成樹脂の流動速度が、これら両リム部同士の間で不均一になる可能性がある。そこで、この様な場合に、前記各ゲートから前記キャビティのうちで上記両リム部に対応する円環状空間部分に送り込む溶融合成樹脂の流速（角速度）を一致させるべく、本発明を適用する。
【符号の説明】
【００３５】
１    外輪
２    外輪軌道
３    ハブ
４    内輪軌道
５    円すいころ
６    保持器
７ａ、７ｂ  リム部
８    柱部
９    ポケット
１０ａ、１０ｂ  ゲート
１１、１１ａ  ランナ
１２ａ、１２ｂ  下流端部分
１３、１３ａ、１３ｂ、１３ｃ  ウェルド
１４ａ、１４ｂ  部分
１５    ゲート
１６    円杆部
【先行技術文献】
【特許文献】
【００３６】
【特許文献１】特開２００２−２２７８４９号公報
【特許文献２】特開平１０−３１８２６３号公報
【特許文献３】特開平１１−１０８０６３号公報
【特許文献４】特開２００８−９５７７０号公報
【図１】
2011085231.tif 000003
【図２】
2011085231.tif 000004
【図３】
2011085231.tif 000005
【図４】
2011085231.tif 000006
【図５】
2011085231.tif 000007
【図６】
2011085231.tif 000008
【図７】
2011085231.tif 000009
【図８】
2011085231.tif 000010
【図９】
2011085231.tif 000011
【図１０】
2011085231.tif 000012